(57)【要約】【課題】  本発明はＰＯＳシステムに関し、設置面積が少なくてすみ、また操作性を向上させたＰＯＳシステムを提供することを目的としている。【解決手段】  商品登録を行なう商品登録ユニット２０と、商品取り引きの精算を行なう会計演算ユニット３０とを縦方向に一体形成し、これら一体形成された装置をＬ字型支持機構４０に取り付けて構成される。商品登録ユニット２０には商品のバーコードを読み取るスキャナを設け、会計演算ユニットには商品の取り引き金額を精算する演算手段を設ける。【選択図】    図１
2005242728.tif 000002
【特許請求の範囲】
【請求項１】
商品登録を行なう商品登録ユニットと、商品取り引きの精算を行なう会計演算ユニットとを縦方向に一体形成し、
これら一体形成された装置をＬ字型支持機構に取り付けて構成されるＰＯＳシステム。
【請求項２】
商品登録を行なう商品登録ユニットと、商品取り引きの精算を行なう会計演算ユニットとを一体形成し、
これら一体形成された装置をＬ字型支持機構に取り付けると共に、商品を入れる袋を掛ける袋掛け部を設けたことを特徴とするＰＯＳシステム。
【請求項３】
商品登録を行なう商品登録ユニットを２組設け、
これら商品登録ユニットと接続され、商品取り引きの精算を行なう会計演算ユニットを１組設けて構成されるＰＯＳシステム。
【請求項４】
商品登録を行なう商品登録ユニットにカードリーダを設け、キャッシュレス決済、ポイントカード処理を行なうようにしたことを特徴とする請求項１乃至３の何れかに記載のＰＯＳシステム。
【請求項５】
前記Ｌ字型支持機構に合わせてテーブルを組み合わせるようにしたことを特徴とする請求項１記載のＰＯＳシステム。
【発明の詳細な説明】
【技術分野】
【０００１】
本発明は商品の取引を行なうＰＯＳシステムに関する。
【背景技術】
【０００２】
スーパーマーケットやコンビニエンスストアでは、商品取引を行ない、精算を行なうためにＰＯＳシステムが用いられる。該ＰＯＳシステムは、商品をスキャナで読み込んで登録を行なう商品登録ユニットと、取引額の精算を行なう会計演算ユニットから構成されている。そして、顧客が購入した商品の登録と精算を行なう。
【０００３】
図１３は従来システムの配置例を示す図である。図において、１は商品登録を行なう商品登録ユニット、２は登録された商品の精算を行なう会計演算ユニットである。これら商品登録ユニット１と会計演算ユニット２は、レーン３上に載置される。４，５はカゴ、６はお客、７はオペレータである。商品登録ユニット１は、情報を入力するキーボード、情報を表示する表示装置から構成される。会計演算ユニット２は、自動釣銭、釣札機、購入商品のリストと合計金額をプリントするレシートプリンタ、情報を表示する表示装置から構成される。
【０００４】
このように構成されたシステムにおいて、お客４が購入する商品をカゴ４に入れたものをレーン３上に置くと、オペレータ５はカゴ４に入っている商品を取り出して順次商品登録ユニット１にあてて商品情報の登録を行なう。登録を行なった商品は左側に置かれたカゴ５に入れられる。つまり、右側のカゴ４から商品を取りだして、順次登録を行ない、左側のカゴ５に入れられる。
【０００５】
このような操作を商品の数だけ行なうと、会計演算ユニット２で精算処理を行なう。この時、オペレータ７は横向きになって会計演算ユニット２と対峙する。そして、商品の合計金額が分かると、オペレータ７はお客６からお金を預かり、会計演算ユニット２で精算処理を行なう。預かった金額から釣銭を精算してお客６に渡す。お客は、商品が入ったカゴ５を持って左側に出ていく。
【０００６】
この種のＰＯＳ端末としては、縦型本体にキーボードと固定型スキャナとドロワとをこの順番に上方から下方に向けて各部位に取り付けて形成し、且つ上流側商品置場と下流側商品置場との間に配設されたテーブル上でかつオペレータの立つ位置と反対側の位置にキーボードをオペレータ側に向けた姿勢で取り付け、固定型スキャナを用いてのデータ入力操作とキーボードを用いての精算業務操作とをキャッシャーがそのままの姿勢で連続的に実行できるようにしたものが知られている（例えば特許文献１参照）。
【特許文献１】特開平６−２６６９６１号公報（第２頁、第３頁、図１）
【発明の開示】
【発明が解決しようとする課題】
【０００７】
前述した従来のシステムでは、商品登録ユニット１と会計演算ユニット２の配置の関係で、精算時にはオペレータ７は横を向いて会計演算ユニット２を操作しなければならないので、操作性が悪いという問題があった。また、商品登録ユニット１と会計演算ユニット２の配置の関係で、レーンの幅Ｗが広いため、ＰＯＳシステムの設置面積が広く、効率が悪いという問題があった。
【０００８】
本発明はこのような課題に鑑みてなされたものであって、設置面積が少なくてすみ、また操作性を向上させたＰＯＳシステムを提供することを目的としている。
【課題を解決するための手段】
【０００９】
（１）請求項１記載の発明は、商品登録を行なう商品登録ユニットと、商品取り引きの精算を行なう会計演算ユニットとを縦方向に一体形成し、これら一体形成された装置をＬ字型支持機構に取り付けて構成されることを特徴とする。
（２）請求項２記載の発明は、商品登録を行なう商品登録ユニットと、商品取り引きの精算を行なう会計演算ユニットとを一体形成し、これら一体形成された装置をＬ字型支持機構に取り付けると共に、商品を入れる袋を掛ける袋掛け部を設けたことを特徴とする。
（３）請求項３記載の発明は、商品登録を行なう商品登録ユニットを２組設け、これら商品登録ユニットと接続され、商品取り引きの精算を行なう会計演算ユニットを１組設けて構成されることを特徴とする。
（４）請求項４記載の発明は、商品登録を行なう商品登録ユニットにカードリーダを設け、キャッシュレス決済、ポイントカード処理を行なうようにしたことを特徴とする。
（５）請求項５記載の発明は、前記Ｌ字型支持機構に合わせてテーブルを組み合わせるようにしたことを特徴とする。
【発明の効果】
【００１０】
（１）請求項１記載の発明によれば、商品登録を行なう商品登録ユニットと、商品取り引きの精算を行なう会計演算ユニットとを縦方向に一体形成することによりレーンを必要とせず、省スペース化を実現することができる。また、オペレータがお客と対面して操作をすることができるので、操作性を向上させることができる。
（２）請求項２記載の発明によれば、商品登録を行なう商品登録ユニットと、商品取り引きの精算を行なう会計演算ユニットとを一体形成することにより省スペース化を実現することができる。また、袋掛け部を設けることにより、商品登録から商品登録が終了した商品を袋詰めにするまでを一連の工程とすることができ、お客が商品を袋詰めにする工程を省略することができる。
（３）請求項３記載の発明によれば、オペレータ二人で１台の会計演算ユニットを共用することで、省スペース化を図ることができる。
（４）請求項４記載の発明によれば、カードリーダを設け、カードを用いることでキャッシュレス決済、ポイントカード処理を行なうようにすることができる。
（５）請求項５記載の発明によれば、前記Ｌ字型支持機構に合わせてテーブルを組み合わせることで、従来の作業レーンと同様の操作が可能になる。
【発明を実施するための最良の形態】
【００１１】
以下、図面を参照して本発明の実施の形態例を詳細に説明する。図１は本発明の一実施の形態例を示す構成図である。図において、２０は商品の読み取り登録を行なう商品登録ユニット、３０は購入した商品の会計処理を行なう会計演算ユニットである。図に示すように、商品登録ユニット２０と会計演算ユニット３０は縦方向に一体形成されている。４０はこれら商品登録ユニット２０及び会計演算ユニット３０が取り付けられるＬ字型の支持機構である。Ｌ字型支持機構４０の底面はフラットになっており、移動可能なようにキャスタ４１が取り付けられている。
【００１２】
２５は商品登録ユニット２０側と会計演算ユニット３０側に立体的に設けられた商品のバーコードを読み取るためのスキャナである。商品登録ユニット２０において、２２はカードを読み取るカードリーダ、２３は各種情報を入力するためのキーボード、２４は各種情報を表示する表示部、２７は現金トレイである。
【００１３】
会計演算ユニット３０において、３１は内部に設けられたＰＯＳ制御部、３２は釣銭を自動的に処理する自動釣銭・釣札機、３３はレシートに取引内容を印刷するレシートプリンタである。このように構成されたシステムの動作を説明すれば、以下の通りである。オペレータ（図示せず）は図に示すシステムと対峙している。ここで、お客（図示せず）がカートを押して商品を持ってくる。ここでは、例えば右側（Ａ側）に来たものとする。オペレータは、カートに入っている商品を取り出してスキャナ２５で商品の種類と価格を読み取る。読み取られた商品は、システムの反対側（左側、Ｂ側）に設けられている空きのカートに入れられる。
【００１４】
オペレータは、カートに入っている商品を順次スキャナ２５で読み取っていく。そして、全ての商品の読み取りが終了したら、キーボード２３の所定のキーを押して精算処理を行う。ＰＯＳ制御部３１はこのキー入力を受けると、全ての商品の合計金額を表示部２４に表示する。オペレータはお客から受け取ったお金を自動釣銭・釣札機３２に入れる。釣銭があった場合には、自動釣銭・釣札機３２から釣銭が排出される。オペレータは、釣銭をを現金トレイ２７に置いてお客に渡す。お客は、商品が入った左側のカートを押して、レジを離れる。次のお客がカートを押して、今度は左側に持ってくる。以下、同様にして処理が行なわれる。
【００１５】
この実施の形態例によれば、商品登録ユニットと会計演算ユニットとを縦方向に一体形成することにより、レーンを必要とせず、省スペース化を実現することができる。また、オペレータがお客と対面して操作をすることができるので、操作性を向上させることができる。
【００１６】
図２は本発明の第２の実施の形態例を示す構成図である。図１と同一のものは、同一の符号を付して示す。図に示す実施の形態例は、図１に示すシステムにテーブルを組み合わせたものである。図において、４５がテーブルである。このような構成とすることにより、お客はカートではなくカゴに商品を入れて持ってきて、テーブル４５の上に置くことができる。取り引き操作は図１の場合と同様である。この場合も、オペレータはお客と対面して操作することができ、従来の作業レーンと同様の操作が可能となり操作性が向上する。
【００１７】
図３は本発明の第３の実施の形態例を示す構成図である。図２と同一のものは、同一の符号を付して示す。この実施の形態例は、図２に示すシステムを裏側（お客側）から見たものである。図において、２６は商品登録ユニット２０の裏側に設けられた大型の表示部である。２７は現金を置く現金トレイ、２８はＩＣカードを非接触で読み取るＩＣカードリーダである。１１はオペレータ、１５，１６はそれぞれテーブル４５の端に置かれたカゴである。このように構成された装置の動作を説明すれば、以下の通りである。
【００１８】
お客（図示せず）が商品が入ったカゴ１５をテーブル４５の上に置くと、オペレータは取引動作を開始する。即ち、カゴ１５に入った商品を取り出してスキャナ２５（図１参照）でバーコードを読み取る。読み取られた商品は、反対側のカゴ１６に入れられる。ＰＯＳ制御部３１は、読み取った商品の種類と価格を記憶する。一方、表示部２６にはお客が購入する商品の種類と価格が逐次表示されるので、お客は自分が購入する商品の確認を行なうことができる。
【００１９】
全ての商品の読み取りが終了したら、オペレータ１１はキーボード２３の合計キーを押す。この結果、ＰＯＳ制御部３１は商品の合計金額を計算して、表示部２４（図１参照）及び２６に表示する。お客は、表示部２６に表示された合計金額を見て、必要な代金を現金トレイ２７に置く。オペレータ１１は現金を預かり、自動釣銭・釣札機３２に入れる。釣銭がある場合には、自動釣銭・釣札機３２から釣銭が出てくる。オペレータ１１は釣銭を現金トレイ２７を介してお客に渡す。お客は商品が入ったカゴ１６を持って取引から抜け出る。
【００２０】
この実施の形態例では、ＩＣカードリーダ２８が設けられているので、現金なしの決済を行なうことができる。即ち、合計金額を計算した後に、オペレータ１１はお客からＩＣカードを借り受け、ＩＣカードリーダ２８から非接触で情報（お客の氏名、銀行名、銀行口座番号、取り引き金額等）を読み取る。この場合には、商品の買い上げ金額は、お客の銀行口座から自動引き落としされることになる。現金を扱わないので、操作性が非常によい。
【００２１】
図４は本発明の第１の運用例を示す図である。図において、１００は本発明に係るＰＯＳシステムである。１１はオペレータ、１２はお客、１７，１８はカートである。お客１２がカート１７に商品を入れて持ってくると、オペレータ１１はＰＯＳシステム１００を使用して商品登録と、精算処理を行なう。カート１７に入っている商品を取り出してスキャナで読み取る。読み取られた商品は反対側のカート１８に入れられる。カート１７に入っている全ての商品のバーコード読み取りが終了すると、オペレータ１１は会計演算ユニットを操作して取引合計を計算する。お客１２はオペレータ１１に代金を渡す。釣銭等の支払が終了すると、お客は商品が入ったカート１８を押して取り引きから抜ける。お客はカート１８に入っている商品の袋詰めを行なう。次のお客は、今度はカート１８があった場所にカートを持ってくることになる。
【００２２】
図５は本発明の第２の運用例を示す図である。図４と同一のものは、同一の符号を付して示す。この例では、取り引き操作がセルフサービスとなっているものである。つまり、お客１２はカート１７をＰＯＳシステム１００まで持ってくると、自分で商品のスキャンを行ない、決済処理を行なう。ここで、操作の流れとしては、スキャニング→決済→袋詰めという流れと、スキャニング→袋詰め→決済という流れが考えられる。この場合、店側の工数はかからないもののセキュリティの問題が残るので、監視カメラを配置するとか、見張りの人を置く等の対応が必要となる。
【００２３】
図６は本発明の第３の運用例を示す図である。図４と同一のものは、同一の符号を付して示す。この例では、お客１２の後に他のお客１３が並んで待っている状態を示す。一人目のお客１２がＡ側にカート１７を持ってくる。オペレータ１１は、ＰＯＳシステム１００を使用してスキャンと決済を行なう。カート１７に入っていた商品はＢ側のカート１８側に入れられる。そこで、オペレータ１１はカート１８に入っている商品の袋詰めを行なう。袋詰めされた商品はカート１８に乗せられ、取り引きから抜ける。お客１２が出ていくと、Ｂ側に空きができるので、お客１３はＢ側にカートを持ってくる。そして、オペレータ１１により同様の取り引き処理が行なわれることになる。
【００２４】
図７は本発明の第４の運用例を示す図である。この運用例は、セルフサービスの例を示している。図６と同一のものは、同一の符号を付して示す。先ず、お客１２がカート１７を持ってきてＰＯＳシステム１００のＡ側につける。そして、ＰＯＳシステム１００を操作して商品のスキャンを行ない、全てのスキャンが終了したら決済を行なう。ここの例では、スキャンされた商品は前の客のカート１８に入れられる。全ての商品がスキャンされたら、袋詰めを行なう。その後、操作ボタンを押して決済を行なう。決済が終わったら、お客１２はカート１８を押していき、取り引きから抜ける。
【００２５】
次に、お客１３がＢ側にカートをつける。そして、商品のスキャンと袋詰めを行ない、袋詰めが終了したら決済を行なう。以下、同様である。
図８は本発明の第４の実施の形態例を示す構成図である。この実施の形態例では、商品スキャン時に商品の袋詰めを行なうようにしたものである。図１、図６と同一のものは、同一の符号を付して示す。図に示すシステムは、商品登録ユニット２０と会計演算ユニット３０とが横方向に一体形成されており、Ｌ字型支持機構４０により支持されている。商品登録ユニット２０の下部に商品を入れる袋が掛けられるようにしたものである。図において、４７が袋である。該袋４７は袋掛け部４８に掛けられている。図では、ＰＯＳ制御部（図示せず）３１が商品登録ユニット２０側に設けられている。２５’は、縦型マルチヘッドスキャナ、２３は各種情報を入力するキーボード、２７は現金トレイ、２８はカードリーダである。該カードリーダ２８としては、例えば非接触式のＩＣカードリーダが用いられる。
【００２６】
３３はレシートに取り引き内容をプリントするレシートプリンタ、３２は自動釣銭・釣札機、４８は会計演算ユニット３０が載置されるカウンタである。該カウンタ４８では、袋４７の下側が支持されるようになっている。１２はお客、１７はお客が押しているカートである。このように構成されたシステムの動作を説明すれば、以下の通りである。
【００２７】
お客１２がＰＯＳシステム１００の横にカート１７を横づけする。オペレータ（図示せず）は、カート１７に入っている商品を取り出してスキャナ２５’でスキャンした後、スキャンが終了した商品を袋４７の中に入れる。この操作を商品がなくなるまで繰り返す。商品のスキャンが終了したら、オペレータはキーボード２３を操作して決済処理を行なう。この結果、表示部２４に合計金額が表示される。オペレータは、お客１２からお金を受け取ると、自動釣銭・釣札機３２に入れる。釣銭がある場合には、自動釣銭・釣札機３２から釣銭が排出される。オペレータは、排出された釣銭を現金トレイ２７に乗せる。お客はこの釣銭を受け取る。次に、オペレータは、袋４７を取り上げて入口を縛り、商品が出て来ないようにした状態で、お客１２に手渡す。
【００２８】
このような実施の形態例によれば、商品登録ユニットと、会計演算ユニットとを一体形成することにより省スペース化を実現することができる。また、袋掛け部を設けることにより、商品登録から商品登録が終了した商品を袋詰めにするまでを一連の工程とすることができ、お客が商品を袋詰めする工程を省略することができる。
【００２９】
なお、上述の実施の形態例において、現金を用いないでキャッシュレス取り引きを行なうことができる。即ち、カート１７に入っている商品の読み取りが終了した後、キーボード２３を操作して決済処理を行なう。この場合において、キャッシュレスサービスを行なう場合、オペレータはお客１２からＩＣカードを預かる。そして、非接触のカードリーダ２８にかけて決済処理を行なう。具体的には、ＩＣカードから顧客の氏名、銀行名、口座番号、取り引き金額等を読み込む。このような情報を読み込んでおけば、後で前記銀行口座から自動引き落としをすることができる。この実施の形態例によれば、カードリーダを設け、カードを用いることでキャッシュレス決済、ポイントカード処理を行なうようにすることができる。この場合、現金を扱わないので操作性が更に向上する。
【００３０】
図９は本発明の第５の運用例を示す図である。この実施の形態例では、商品登録ユニット２台に対して会計演算ユニットを１台にして運用するようにしたものである。図において、１１、１４はオペレータ、１２、１３はお客である。２０は商品登録ユニット、３０は会計演算ユニットである。商品登録ユニット２０は２台設けられており、会計演算ユニット３０は１台設けられている。そして、２台の商品登録ユニット２０で１台の会計演算ユニット３０を共用している。商品登録処理は時間がかかるのに対して、会計演算処理は瞬間に処理できることから、双方の処理に影響が出ることは殆どない。このように構成されたシステムの動作を以下に説明する。
【００３１】
お客１２はオペレータ１１に決済処理を頼み、お客１３はオペレータ１４に決済処理を頼んでいる。オペレータ１１はお客１２のカートから商品を取り出してはスキャニングしてバーコードを読み取る。そして、全ての商品の読み取りが終了したら、商品登録ユニット２０の操作部を操作して会計処理を行なわせる。会計演算ユニット３０は、お客１２の商品の合計額を計算する。そして、合計額の金額を受け取り、商品登録ユニット２０の自動釣銭・釣札機に入れる。釣銭がある場合には釣銭が排出されるので、その釣銭をお客１２に返す。また、オペレータ１１は購入した商品の袋詰めを行ない、お客１２に返す。
【００３２】
以上の操作をお客１３とオペレータ１４の間でも行なう。会計処理の場合に、双方の会計処理が同時に起こることは極めてまれである。従って、オペレータ１４は恰も、会計演算ユニット３０が専属で付属しているかのようなイメージで操作することができる。もし、同時に会計処理が重なるようなことが起きた場合、どちらかにしばらく処理を待ってもらえばよい。先に会計処理を済ませたら、今度は待っていた人が会計処理を行なえばよい。
【００３３】
このように、この実施の形態例によれば、オペレータ二人で１台の会計演算ユニットを共用することで、更なる省スペース化を図ることができる。
図１０は本発明の第６の運用例を示す図である。図９と同一のものは、同一の符号を付して示す。この運用例は、お客がセルフサービスで取り引き処理を行なう場合を示している。この場合も、商品登録ユニット２０が２台に対して会計演算ユニット３０が１台設けられており、会計演算ユニット３０を共有している例を示している。お客１２と１３はそれぞれ自分のカートに入っている商品を取り出して商品登録ユニット２０のスキャナでバーコードを読み取らせる。以上の処理をそれぞれ商品がなくなるまで行なう。読み取った商品は袋詰めにする。商品がなくなったら、今度は会計演算ユニット３０を用いて合計金額の計算を行なう。合計金額を自動釣銭・釣札機に入れて、精算を行なうと処理は終了する。この場合には、セルフサービスの場合であるので、セキュリティの問題が生じる。
【００３４】
図１１は本発明の第７の運用例を示す図である。ＰＯＳシステムの配置を工夫して、設置面積を小さくするようにしたものである。１００Ａと１００Ｂはそれぞれ本発明のＰＯＳシステムである。ＰＯＳシステム１００Ａでは、お客はシステムの右側から入るのに対して、ＰＯＳシステム１００Ｂば、システムの左から入る。このように、ＰＯＳシステムのレイアウトを工夫することで、レジの設置面積を少なくでき、効率的な運用が可能となる。
【００３５】
図１２は本発明の電気的構成例を示すブロック図である。図１と同一のものは、同一の符号を付して示す。図において１００は本発明に係るＰＯＳシステム（本発明システム）である。該ＰＯＳシステム１００において、５１は全体の動作を制御するＣＰＵである。５２は上位装置（例えばサーバ）と通信を行なう伝送制御回路である。５３は本発明システムを動作させるプログラムの他、各商品毎の単価が記憶されているＲＯＭ、５４はデータの一時記憶を行なうＲＡＭである。
【００３６】
２４ａはタッチパネルディスプレイ制御回路、２４は該タッチパネルディスプレイ制御回路２４ａで制御されるタッチパネルディスプレイ、２３ａはキーボード制御回路、２３は該キーボード制御回路２３ａで制御されるキーボードである。２２ａはカードリーダの読み込みを制御するカードリーダ制御回路、２２は該カードリーダ制御回路２２ａにより制御されるカードリーダである。該カードリーダ２２としては、例えば非接触式のカードリーダが用いられる。２５ａはスキャナを制御するスキャナ制御回路、２５は該スキャナ制御回路２５ａにより制御されるスキャナである。
【００３７】
３３ａはプリンタ（レシートプリンタ）を制御するプリンタ制御回路、３３は該プリンタ制御回路３３ａにより制御されるプリンタである。３２ａは自動釣銭・釣札機制御回路３２ａ、３２は該自動釣銭・釣札機制御回路３２ａにより制御される自動釣銭・釣札機である。これらタッチパネルディスプレイ制御回路２４ａ、キーボード制御回路２３ａ、カードリーダ制御回路２２ａ、スキャナ制御回路２５ａ、プリンタ制御回路３３ａ、自動釣銭、釣札機３２ａ、伝送制御回路５２、ＲＯＭ５３及びＲＡＭ５４はバス６５に接続されている。このように構成された回路の動作を説明すれば、以下の通りである。
【００３８】
先ず、お客がカートに入れた商品をＰＯＳシステム１００まで持ってくる。オペレータは、カートから商品を一つずつ取り出してスキャナ２５（図１参照）で読み取らせる。スキャナ２５は、読み取ったバーコードに対応した商品の価格をＲＯＭ５３に記憶されている価格リストから読み取り、ＲＡＭ５４に格納する。このようにして、カートに入った商品をスキャナ２５で読み取る。ＣＰＵ５１は商品の価格と数量から商品の価格を計算し、更に合計金額を計算する。ＲＡＭ５４には、全ての商品の単価と、数量と、全ての商品の合計金額が記憶される。
【００３９】
なお、バーコードが付されていない商品があった時には、オペレータはタッチパネル２４から商品の種類と単価と数量を入力する。ＣＰＵ５１はこれら商品についても同様に金額を計算する。ここで、全ての商品についてのスキャン操作が終了すると、オペレータはキーボード５７から取引終了を入力する。この結果、ＣＰＵ５１はＲＡＭ５４に格納されているデータを読み出し、全ての商品の単価と数量と合計金額をタッチパネル２４に表示する。
【００４０】
オペレータは、お客から合計金額を預かり、自動釣銭・釣札機３２に入力する。この結果、釣銭があった場合には、ＣＰＵ５１が釣銭を計算し、釣銭を自動釣銭・釣札機３２から排出する。同時に、プリンタ３３から取引結果が印字されたレシートを打ち出す。オペレータは、排出された釣銭とレシートをお客に渡す。この結果、一人のお客についての取引処理は終了する。そして、次のお客についての取引処理を行なっていくことになる。
【００４１】
このように、本発明によれば、オペレータがお客からの商品に対してスキャン処理と取引演算処理を行なうことができる。また、本発明によれば、お客とオペレータが常に対面したまま操作できるので、操作性が向上する。また、本発明によれば、ＰＯＳシステムを小さくすることができるので、ＰＯＳシステムの取り付け面積を小さくすることができる。
【図面の簡単な説明】
【００４２】
【図１】本発明の第１の実施の形態例を示す構成図である。
【図２】本発明の第２の実施の形態例を示す構成図である。
【図３】本発明の第３の実施の形態例を示す構成図である。
【図４】本発明の第１の運用例を示す図である。
【図５】本発明の第２の運用例を示す図である。
【図６】本発明の第３の運用例を示す図である。
【図７】本発明の第４の運用例を示す図である。
【図８】本発明の第４の実施の形態例を示す構成図である。
【図９】本発明の第５の運用例を示す図である。
【図１０】本発明の第６の運用例を示す図である。
【図１１】本発明の第７の運用例を示す図である。
【図１２】本発明の電気的構成例を示す図である。
【図１３】従来システムの配置例を示す図である。
【符号の説明】
【００４３】
２０  商品登録ユニット
２２  カードリーダ
２３  キーボード
２４  表示部
２５  スキャナ
２７  現金トレイ
３０  会計演算ユニット
３１  ＰＯＳ制御部
３２  自動釣銭・釣札機
３３  レシートプリンタ
４０  Ｌ字型支持機構
４１  キャスタ
【図１】
2005242728.tif 000003
【図２】
2005242728.tif 000004
【図３】
2005242728.tif 000005
【図４】
2005242728.tif 000006
【図５】
2005242728.tif 000007
【図６】
2005242728.tif 000008
【図７】
2005242728.tif 000009
【図８】
2005242728.tif 000010
【図９】
2005242728.tif 000011
【図１０】
2005242728.tif 000012
【図１１】
2005242728.tif 000013
【図１２】
2005242728.tif 000014
【図１３】
2005242728.tif 000015